(57)【要約】【課題】ルアーを内部のスポンジシートに刺し止めるルアーケースにおいて、フックのバーブによるスポンジシートの損傷を軽減することができるルアーケースを提供する。【解決手段】フック５の針先５１を内部に刺す凹部６をスポンジシート２に形成し、該凹部６の刺し部に対向する部分６１を、フック５を該凹部６に刺した状態で、フック５の先曲げ５２又はその近傍に圧接する位置に形成する。【選択図】図２
2015070830.tif 000002
【特許請求の範囲】
【請求項１】
スポンジシートにフックを刺してルアーを収容するルアーケースにおいて、フックの針先を内部に刺す孔凹部をスポンジシートに形成するとともに、該凹部の刺し部に対向する壁部をフックの先曲げ又はその近傍に圧接する位置に形成したことを特徴とするルアーケース。
【請求項２】
前記凹部が内径が４〜２０ｍｍの複数の円孔であることを特徴とする請求項１記載のルアーケース。
【発明の詳細な説明】
【発明が属する技術分野】
【０００１】  本発明は、ルアーを内部に収容するルアーケースに関し、特に、内部のスポンジの損傷を軽減することができるルアーケースに関するものである。
【背景技術】
【０００２】  釣りで疑似餌としでとしで使用されるルアーは、魚を掛けるためのフック（釣り針）を備えている。【０００３】  このようなルアーは、裸で持ち歩くと鋭利なフックが危険であるため、ルアーケース又はルアーワレットと呼ばれるルアーケースに収容される。【０００４】  従来のルアーケースとしては、例えば、二つ折りに設けた外地と、この外地の内側に貼設したスポンジシートとを備えたものが周知である。【０００５】  このようなルアーケースは、そのスポンジシートにフックを刺してルアーを収納するようになっている。
【発明の開示】
【発明が解決しようとする課題】
【０００６】  ところで、このようなルアーケースでは、ルアーを安定して収容するために、フックをそのバーブ（かえし又はもどりとも言う）まで深くスポンジシートに刺すことが多い。【０００７】  そのため、ルアーの取り出し時にフックを抜くと、逆針であるバーブがスポンジシートを切り裂き、繰り返しの使用においてはスポンジシートがひどく損傷するという問題を招来する。【０００８】  スポンジシートは、ルアーケースの内面に全面的に貼られているので、部分的な損傷でもルアーケース全体のダメージになる。【０００９】  本発明は、上記従来のルアーケースが有する問題点に鑑み、内部のスポンジの損傷を軽減することができるルアーケースを提供することを目的とする。
【課題を解決するための手段】
【００１０】  上記目的を達成するため、本発明のルアーケースは、スポンジシートにフックを刺してルアーを収容するルアーケースにおいて、フックの針先を内部に刺す孔凹部をスポンジシートに形成するとともに、該凹部の刺し部に対向する壁部をフックの先曲げ又はその近傍に圧接する位置に形成したことを特徴とする。【００１１】  この場合において、前記凹部を内径が４〜２０ｍｍの複数の円孔とすることができる。
【発明の効果】
【００１２】  本発明のルアーケースによれば、スポンジシートにフックを刺してルアーを収容するルアーケースにおいて、フックの針先を内部に刺す孔凹部をスポンジシートに形成するとともに、該凹部の刺し部に対向する壁部をフックの先曲げ又はその近傍に圧接する位置に形成したことから、フックを刺したときに凹部の刺し部対向部分が針先の基部側を押さえ込むようにスポンジの弾力で圧接してこれを支持することができ、ルアーのフックをバーブに至らず浅く刺すだけでもこれを安定した状態で保持することができる。
これにより、従来フックのバーブで痛めていたスポンジシートの損傷をなくし、スポンジシートのダメージを軽減して、ルアーケースの長寿命化を図ることができる。【００１３】  この場合、前記凹部を内径が４〜２０ｍｍの複数の円孔とすることにより、フックを効果的に保持する凹部を簡便に形成するとともに、凹部によるスポンジシートの強度の低下を抑止することができる。
【発明を実施するための最良の形態】
【００１４】  以下、本発明のルアーケースの実施の形態を、図面に基づいて説明する。
図１〜図２に、本発明の一実施例を示す。【００１５】  このルアーケース（ルアーワレット）は、二つ折りに設けたプラスチックの外地１と、この外地１の内側に貼設した２枚のスポンジシート２と、このスポンジシート２の間に配設され仕切りとなる２枚の仕切りシート３とを備えている。【００１６】  ルアーケースの外地１は内部が窪んだ形状で、外周縁部にはケースを開閉するためのジッパー４が設けられている。【００１７】  ルアーケースは、スポンジシート２にフック５を刺してルアーＬを収容するタイプであり、フック５の針先５１を内部に刺す凹部６がスポンジシート２に形成されている。
そして、該凹部６の刺し部に対向する部分６１が、フック５を該凹部６に刺した状態で、フック５の先曲げ５２又はその近傍に圧接する位置に形成されている。【００１８】  本実施例では、凹部６はスポンジシート２を切り抜いた内径が６〜８ｍｍの複数の円孔からなり、フック５を効果的に保持する凹部６を簡便に形成するとともに、凹部６を形成することによるスポンジシート２の強度低下を抑止している。【００１９】  この小さめの円孔からなる凹部６は、ルアーＬのフック５を下部内壁に刺すときに、フック５の先曲げ５２付近が必然的に円孔の上壁を押圧し、該円孔上部を窪ませることから、その反力で円孔上部がフック５の一部をスポンジの弾力で押さえ込むように保持することができる。
また、フック５は、上記スポンジの反力で下部のアイ５３とスプリットリング７とがスポンジシート２に圧接するように付勢され、その結果、フック５は３点が支持された状態で安定する。【００２０】  すなわち、本実施例のルアーケースでは、フック５をバーブ５４に至ることなく浅く刺すだけでもルアーＬをスポンジシート２に固定できることになり、従来バーブ５４まで刺して痛めていたスポンジの長寿命化を図ることができる。【００２１】  かくして、本発明実施例のルアーケースは、スポンジシート２にフック５を刺してルアーＬを収容するルアーケースにおいて、フック５の針先５１を内部に刺す凹部６をスポンジシート２に形成するとともに、該凹部６の刺し部に対向する部分６１をフック５の先曲げ５２又はその近傍に圧接するよう形成している。
これにより、フック５を刺したときに凹部６の刺し部対向部分６１が針先５１の基部側を押さえ込むように窪み、スポンジの弾力で圧接してこれを支持することができ、ルアーＬのフック５をバーブ５４に至らず浅く刺すだけでもこれを安定した状態で保持することができる。
その結果、従来フック５のバーブ５４で痛めていたスポンジシート２の損傷をなくし、スポンジシート２のダメージを軽減して、ルアーケースの長寿命化を図ることができる。【００２２】  この場合、前記凹部６を内径が４〜２０ｍｍの複数の円孔とすることにより、フック５を効果的に保持する凹部６を簡便に形成するとともに、凹部６を形成することによるスポンジシート２の強度の低下を抑止することができる。【００２３】  以上、本発明の実施例を説明したが、本発明のルアーケースはこの実施例の記載に限定されるものではなく、例えば、凹部６を内径が４〜２０ｍｍの円孔で形成したり、例えば横長の溝状に形成したりすることも可能である。
【産業上の利用可能性】
【００２４】  以上、本発明のルアーケースは、フックを刺したときに凹部の刺し部対向部分が針先の基部側を押さえ込むようにスポンジの弾力で圧接してこれを支持することができ、ルアーのフックをバーブに至らず浅く刺すだけでもこれを安定した状態で保持することができる。
これにより、従来フックのバーブで痛めていたスポンジシートの損傷をなくし、スポンジシートのダメージを軽減して、ルアーケースの長寿命化を図り、釣りのルアーケースとして広く好適に用いることができる。
【図面の簡単な説明】
【００２５】
【図１】本発明のルアーケースの一実施例を示す斜視図である。
【図２】同ルアーケースの要部を示す拡大断面図である。
【符号の説明】
【００２６】１  外地
２  スポンジシート
３  仕切りシート
４  ジッパー
５  フック
５１  針先
５２  先曲げ
５３  アイ
５４  バーブ
６  凹部
６１  刺し部に対向する部分
７  スプリットリング
【図１】
2015070830.tif 000003
【図２】
2015070830.tif 000004